(57)【要約】【課題】磁化活水具の取り付け施工が困難な狭いところ等であっても、取り付け施工が容易で、水道管等のパイプの管径が異なっても、簡単に磁化活水具を送水管にそって取り付けられるようにすることにある。【解決手段】磁化活水具１を送水管５に巻き付け可能に可撓性を有するシート状や棒状の巻き付け材２に針金等の可撓線４を内装するとともに、上記可撓性の巻き付け材２の送水管５の巻き付け面側に所要の磁力の磁石３をほぼ連続状に多数並設したものであり、必要により巻き付け材２を適宜に切断して巻回して取り付けることができる。１つ１つの磁石３の長さを巻き付ける送水管５の外周の６分の１より短く、１０分の１より長いものとするのが好ましい。【選択図】　　　　　　図１
2004016981.tif 000002
【特許請求の範囲】
【請求項１】
水道管などの送水管に装着して水道水等の水を磁化活水する水道水等の磁化活水具であって、
上記磁化活水具の送水管に巻き付け可能に可撓性を有するシート状や棒状の巻き付け材に針金等の可撓線を内装するとともに、
上記可撓性の巻き付け材の送水管の巻き付け面側に所要の磁力の磁石をほぼ連続状に多数並設したことを特徴とする水道水等の磁化活水具。
【請求項２】
１つ１つの磁石の長さが巻き付ける送水管の外周の６分の１より短く、１０分の１より長いものとした請求項１に記載の水道水等の磁化活水具。
【請求項３】
巻き付ける送水管の外周長のほぼ２分の１毎に磁石の送水管への巻き付け材の巻き付け面側の磁極をＮ極とＳ極とに交互に配設した請求項１または２に記載の水道水等の磁化活水具。
【請求項４】
巻き付け材の長さ方向に対してそれぞれの磁石の中心軸線を所定角度だけ傾けて配設した請求項１ないし３のいずれかに記載の水道水等の磁化活水具。
【請求項５】
水道管などの送水管に装着して水道水等の水を磁化活水する水道水等の磁化活水具の施工方法であって、
上記磁化活水具の送水管に巻き付け可能に可撓性を有するシート状や棒状の巻き付け材を所定の長尺とし、上記可撓性の巻き付け材の送水管の巻き付け面側に所要の磁力の磁石をほぼ連続状に多数並設して、
水道管などの送水管に装着するにあたって上記巻き付け材を所要の長さに切断して送水管の所要部に巻回することを特徴とする水道水等の磁化活水具の施工方法。
【発明の詳細な説明】
【０００１】
【発明が属する技術分野】
本発明は、水の活性化分野における水道水等の磁化活水具に関するものである。
【０００２】
【従来の技術】
従来、水道管や給水管等のパイプ内を流れる水を活性化するのに、パイプの外周部に所要の磁力の磁石を配設して磁化活水することが提案されている。
【０００３】
たとえば、水道管の両側に円弧状の磁石を対向して配設したり、ブロック状の磁石を軸対称状や螺旋状に配設して水道水を磁化し、活性化することが知られている。
【０００４】
しかし、円弧状やブロック状の磁石を水道管に配設するには、そのホルダーにねじやボルトなどを使用して取り付けねばならないため、腐食が生じたり、特に狭いところでは取り付けが困難で、場所によっては取り付け施工ができないときもあった。
【０００５】
また、水道管等のパイプの管径が異なると、円弧状の磁石を密接して取り付けることができなく、ばね等の弾性材を利用して取り付ける場合でも、管径が太くては上手く取り付けできないものであった。
【０００６】
【発明が解決しようとする課題】
そのため、遠赤外線放射材を付着した柔軟性シート材に永久磁石を取り付けて、給水管に巻き付けて給水を活性化するシート状活水器が提案されている。
【０００７】
しかし、上記シート状活水器は、異径の給水管に自由に巻き付けることができるものの、その固定手段としては両端部にベルベットファスナーやバンド等の係合手段を取着して行なっているものであり、また永久磁石はシート状材の外周部側に相当の間隔で３個程取着しているものにすぎなく、給水管に１〜２巻き位しか巻回できなくて、給水への磁力の強さには限界が生じるものであった。
【０００８】
【課題を解決するための手段】
本発明は、上記のような点に鑑みたもので、上記の課題を解決するために、水道管などの送水管に装着して水道水等の水を磁化活水する水道水等の磁化活水具であって、上記磁化活水具の送水管に巻き付け可能に可撓性を有するシート状や棒状の巻き付け材に針金等の可撓線を内装するとともに、上記可撓性の巻き付け材の送水管の巻き付け面側に所要の磁力の磁石をほぼ連続状に多数並設したことを特徴とする水道水等の磁化活水具を提供するにある。
【０００９】
また、水道管などの送水管に装着して水道水等の水を磁化活水する水道水等の磁化活水具の施工方法であって、上記磁化活水具の送水管に巻き付け可能に可撓性を有するシート状や棒状の巻き付け材を所定の長尺とし、上記可撓性の巻き付け材の送水管の巻き付け面側に所要の磁力の磁石をほぼ連続状に多数並設して、水道管などの送水管に装着するにあたって上記巻き付け材を所要の長さに切断して送水管の所要部に巻回することを特徴とする水道水等の磁化活水具の施工方法を提供するにある。
【００１０】
【発明の実施の態様】
本発明の水道水等の磁化活水具およびその施工方法は、磁化活水具の送水管に巻き付け可能に可撓性を有するシート状や棒状の巻き付け材に針金等の可撓線を内装するとともに、上記可撓性の巻き付け材の送水管の巻き付け面側に所要の磁力の磁石をほぼ連続状に多数並設し、水道管などの送水管に所定の長さ巻回して水道水等の水を磁化活水することを特徴としている。
【００１１】
磁化活水具１は、図１〜図４のようにゴム材や発泡樹脂材の所要の長さの棒状やシート状の可撓性の巻き付け材２に永久磁石の磁石３を互いに近接してほぼ連続状に多数並べて配設し、また針金等の可撓線４を内装して水道管等の送水管５にバンドや金具等の外部の取付手段を必要とすることなく、管径が異なっても巻回するだけで取り付けられるようにしている。
【００１２】
上記磁化活水具１の大きさとしては、一般の水道管が１５〜２５ｍｍ位の管径で、工業用の給水管が４０〜５０ｍｍ位の管径なので、これらの送水管５に３〜５回程巻回できる２０〜５０ｍｍ幅、２０〜７０ｃｍ長さとすることができ、長尺のものを上記した長さに適宜に切断して巻回することもできる。
【００１３】
巻き付け材２は、ブチルゴムやニトリルゴム、シリコンゴムなどの合成ゴムや天然ゴム、ウレタンフォーム、ポリエチレンフォーム、スチレンフォームなどの発泡プラスチックで形成することができる。
【００１４】
また、磁石３としては、公知のフエライト系磁石、希土類コバルト磁石、ネオジム鉄系磁石などの強磁性材を使用することができ、磁束密度としては８，０００ガウス以上、好ましくは１０，０００ガウス以上とするものである。そして、このような磁石３は、偏平直方体状や偏平円板状等として図１〜図３のように巻き付け材２の送水管５の平面状とした巻き付け面側にできるだけ近く配設するのが磁力をできるだけ効果的に利用できて好ましく、後述するように適宜に透孔を設けてより磁力の損失を防止するようにするのが好ましい。また、できるだけ連続状に近接して並べるのが好ましい。
【００１５】
可撓線４は、鉄やアルミニウム等の可撓性を有する針金等を使用することができ、送水管５に容易に巻き付けてその状態を保持できる１〜２ｍｍ径位のものが施工性がよくて好ましく、図３のように左右対称状等に２本以上の複数本内装するのが好ましい。１本のみとすることもできるが、その場合断面が弧状や平面状とするのが好ましい。
【００１６】
そしてまた、このような磁化活性具１の巻き付け材２の表面側には、図１、図２のように磁石３の取り付け間隔毎に所定の深さに長さ方向に直交状態の溝６を設けて、図４のように送水管５に巻回しやすくするのが好ましい。
【００１７】
また、上記した磁石３の長さＬとしては、図５のように送水管５（半径＝Ｒ）に巻き付け易いように外周長の２π×Ｒ／６より短く、余り短くないように外周長の２π×Ｒ／１０より長くするのが好ましい。２π×Ｒ／６より長いと磁石３の端部が送水管５より浮き上がり状態となって好ましくなく、２π×Ｒ／１０より短いと磁石３の磁力が弱くなって好ましくない。その点では、磁石３を円板状とするのが浮き上がり状態となりにくくて好ましい。
【００１８】
また磁石３は、図６のように巻き付け材２の幅方向に複数個に分割して配列するのが送水管５に巻き付け易くできて好ましい。しかし、余り分割しすぎると、磁石３の磁力が弱くなるので所要の磁力以上を得る範囲で分割するのがよい。
【００１９】
また、磁石３の巻き付け材２の底面部には、透孔７をそれぞれ開孔するのが磁力を効率よく利用できて好ましい。このことは、図１〜図３の場合にも適用することができる。
【００２０】
さらに、磁石３は、送水管５の対向面側にＮ極−Ｎ極同志や、Ｓ極−Ｓ極同志を対極するようにできる他、図７のように送水管５の外周長のほぼ２分の１毎に磁極をＮ極とＳ極とに交互に配設することもできる。Ｎ極とＳ極とを対極するようにすると、これらが吸引し合って送水管５に巻き付け易くなって好ましい。
【００２１】
またさらに、図８のように磁石３や溝６を巻き付け材２に対して傾斜、特にその送水管５への巻き付け角度Ａだけ傾斜させるのが、巻き付け易くできて好ましい。
【００２２】
このように磁化活性具は、上記した本発明の趣旨にもとづいて適宜の変形態様を実施することができて、一般家庭、オフィスビル、工場等の水道管、送水管に利用することができ、特に従来では施工が困難であった狭い場所や折曲部、異径の配管でも簡単に密接して取着できて活水できるものである。
【００２３】
【実施例】
図１〜図４は、本発明の一実施例を示すもので、磁化活水具１の巻き付け材２をブチルゴムの合成ゴムで成形し、ネオジム鉄系の磁石３を使用して巻き付け材２の底面側にＳ極側を底面側に向けて互いに近接してほぼ連続状に配列し、可撓線４として１ｍｍ径の鉄線を図３のように左右対称に２本埋設した。また、図１、図２のように巻き付け材２の表面側に磁石３の配設ピッチと同じ間隔で溝６を設け、送水管５に巻き付け易くしている。
【００２４】
上記磁化活水具１を水道管等の送水管５に取り付けるには、図４のように取り付け施工しようとする部分に巻き付け材２を適宜の回数螺旋状に巻き付けていくと、内装した可撓線４によって送水管５にそって固定していくことができ、水道水の流れに対してほぼ連続状態にかつ直角状、交差状、スパイラル状に磁力線を照射して磁化活性することができる。
【００２５】
このように磁化活水具は、管径が異なっても、また太い径であっても、自在に容易に巻き付けることができ、かつ内装する可撓線でそのまま巻き付けて取り付けることができるもので、従来のようなねじ固定手段やベルベットファスナー等の係止手段が全く不要なものである。
【００２６】
なお、必要により上記した磁化活水具のまわりに筒状のケース８を挿脱可能に嵌装することができる。また、上記巻き付け材２は、予め適宜の長さとしておくこともできるが、長尺のものを施工に合わせて適宜の長さに切断して使用することができる。特に、溝部で切断すると、容易に切断することができる。
【００２７】
なお、、磁石３は、送水管５に巻き付け易いように図５のようにその長さＬを外周長の２π×Ｒ／６以下、外周長の２π×Ｒ／１０以上のものとするのが好ましく、また図６のように磁石３を幅方向に複数個（実用的には２個）に分割するのが巻回しやすく、さらに図のように磁石３の下方の巻き付け面に透孔７を開孔するのが、磁力を遮らずに効率よく水道水を磁化活性することができる。
【００２８】
また、図７は本発明のさらに他の実施例で、磁化活水具１に磁石３の巻き付け面側を送水管５の外周長のほぼ２分の１毎に磁石３の磁極をＮ極とＳ極とに交互に配設したものである。磁石３の磁極を本実施例のようにＮ極とＳ極とを対極するようにすると、これらが吸引し合って送水管５に巻き付け易くできる。
【００２９】
またさらに、図８は本発明のさらに他の実施例で、磁石３や溝６を巻き付け材２に対して傾斜、特にその送水管５への巻き付け角度Ａ、たとえば１５度傾斜して配設したもので、磁石３をほぼ連続的に並設していても送水管５に巻き付けし易くできるものである。
【００３０】
【発明の効果】
以上のように本発明にあっては、送水管に巻き付け可能に可撓性を有するシート状や棒状の巻き付け材に針金等の可撓線を内装したので、管径が異なっても、また太い径であっても、磁化活水具を自在に容易に巻き付けることができ、かつ内装する可撓線でそのまま巻き付けて取り付けることができるもので、施工が容易であり、かつ従来のようなねじ固定手段やベルベットファスナー等の係止手段が全く不要なものである。
【００３１】
また、上記可撓性の巻き付け材の送水管の巻き付け面側に所要の磁力の磁石をほぼ連続状に多数並設したので、水道水の流れに対してほぼ連続状態にかつ直角状、交差状、スパイラル状に磁力線を照射して磁化活性することができる。
【００３２】
また、１つ１つの磁石の長さが巻き付ける送水管の外周の６分の１より短く、１０分の１より長いものとすることによって、各磁石の端部が送水管より浮き上がり状態とならずに巻き付けるようにできる。
【００３３】
またさらに、巻き付ける送水管の外周長のほぼ２分の１毎に磁石の磁極をＮ極とＳ極とに交互に配設することによって、Ｎ極とＳ極とが吸引し合って送水管に巻き付け易くできる。
【００３４】
さらに、巻き付け材の長さ方向に対してそれぞれの磁石の中心軸線を所定角度だけ傾けて配設することによって、磁石をほぼ連続状に内装していても送水管に巻き付けし易くできるものである。
【００３５】
さらにまた、巻き付け材を所要の長さに切断して送水管の所要部に巻回することによって、上記のように自由に簡単に施工することができ、適宜の長さとして適宜の巻回数だけ巻回して取り付けることができる。
【図面の簡単な説明】
【図１】本発明の一実施例の一部省略した側断面図、
【図２】同上の平面図、
【図３】同上のやや拡大した断面図、
【図４】同上の送水管への取り付け状態の説明用図、
【図５】同上の磁石配列の説明用断面図、
【図６】同上の他の実施例のやや拡大した断面図、
【図７】同上のさらに他の実施例の一部省略した側断面図、
【図８】同上のさらに他の実施例の平面図。
【符号の説明】
１…磁化活水具　　　　　２…巻き付け材　　　　　３…磁石
４…可撓線　　　　　　　５…送水管
【図１】
2004016981.tif 000003
【図２】
2004016981.tif 000004
【図３】
2004016981.tif 000005
【図４】
2004016981.tif 000006
【図５】
2004016981.tif 000007
【図６】
2004016981.tif 000008
【図７】
2004016981.tif 000009
【図８】
2004016981.tif 000010